(57)【要約】      （修正有）【課題】仰向けに横たわった状態においても冷却機能が発揮される身体を冷却する風発生手段を備えるつなぎ服を提供する。【解決手段】つなぎ服１は、上衣部２と下衣部４とを有し、外側から空気を取り込む空気取込口、および内側に冷却風を送出する空気送出口を有する風発生手段５０が取り付けられる取付孔３０が、側面に形成された構成をとる。【選択図】図３
0003225076.tif 000002
【実用新案登録請求の範囲】
【請求項１】
上衣部と下衣部とを有するつなぎ服であって、
外側から空気を取り込む空気取込口、および内側に冷却風を送出する空気送出口を有する風発生手段が取り付けられる取付孔が、側面に形成された、
ことを特徴とするつなぎ服。
【請求項２】
前記上衣部の脇部分よりも下側、かつ、ウエスト部よりも上側であって、着用者の脇下周辺に対応する部位に、前記取付孔が形成された、
ことを特徴とする請求項１に記載のつなぎ服。
【請求項３】
着丈方向に沿って左右に二等分する中心線を軸として、線対称の位置に、前記取付孔が形成された、
ことを特徴とする請求項１又は請求項２に記載のつなぎ服。
【請求項４】
前記上衣部の下端部から、前記上衣部の脇部分を経て、袖部と袖口部との縫合部にわたって、帯状のマチ部が形成され、このマチ部に、前記取付孔が形成された、
ことを特徴とする請求項１から請求項３のいずれか１項に記載のつなぎ服。
【請求項５】
前記上衣部に、着用者の後頸部に対応する部位から背中に対応する部位にわたって、冷却風排出整流部材が設けられた、
ことを特徴とする請求項１から請求項４のいずれか１項に記載のつなぎ服。
【請求項６】
前記取付孔に、前記風発生手段が取り付けられた、
ことを特徴とする請求項１から請求項５のいずれか１項に記載のつなぎ服。
【考案の詳細な説明】
【技術分野】
【０００１】
本考案は、身体を冷却する風発生手段を備えるつなぎ服に関するものである。
【背景技術】
【０００２】
通常の作業服は、上衣と下衣とが分かれており、作業者がこれを着用して仰向けに横たわって作業を行うと、作業服の内側に埃や塵等が入り込みやすい。そこで、そのような作業が必要な職種、例えば、自動車整備士等においては、作業服として、上衣と下衣が一体となったつなぎ服が広く着用されている。
【０００３】
また、近年、屋内外の作業現場では、高温環境下での作業における熱中症予防等のため、多くの作業者は、身体を冷却する風発生手段を備える冷却衣服の着用をしている。これらの冷却衣服は、一般的に、作業者が作業服の上から着用する上衣であるが、下記特許文献１においては、作業者の様々な作業内容に対応する冷却衣服として、上衣以外に、風発生手段を備えるつなぎ服等の提案がなされている。
【先行技術文献】
【特許文献】
【０００４】
【特許文献１】特開２００６−３０７３５４号公報
【考案の概要】
【考案が解決しようとする課題】
【０００５】
しかし、特許文献１の風発生手段を備えるつなぎ服は、作業者がこれを着用して仰向けに横たわって作業を行うと、作業者の身体と地面等との間に風発生手段が挟まれ、風発生手段の空気取込口および空気送出口が塞がれてしまうおそれがある。そうすると、特許文献１の風発生手段を備えるつなぎ服は、冷却衣服としての冷却機能を正常に発揮することができない。また、作業者は、特許文献１の風発生手段を備えるつなぎ服を着用して仰向けに横たわった状態では、風発生手段の上に身体が重なることで、腰部周辺に大きな違和感を覚え、注意力が低下し、安全な作業の妨げになる。
【０００６】
本考案は、この様な実情に鑑みて提案されたものである。すなわち、風発生手段の取り付けが可能で、かつ、作業者が着用して仰向けに横たわった状態においても、風発生手段による冷却機能が正常に発揮され、また、安全な作業を妨げることのない、つなぎ服の提供を目的とする。
【課題を解決するための手段】
【０００７】
本考案に係るつなぎ服は、上衣部と下衣部とを有し、外側から空気を取り込む空気取込口、および内側に冷却風を送出する空気送出口を有する風発生手段が取り付けられる取付孔が側面に形成されたことを特徴とする。
【０００８】
本考案に係るつなぎ服は、上衣部の脇部分よりも下側、かつ、ウエスト部よりも上側であって、着用者の脇下周辺に対応する部位に取付孔が形成されたことを特徴とする。
【０００９】
本考案に係るつなぎ服は、着丈方向に沿って左右に二等分する中心線を軸として、線対称の位置に取付孔が形成されたことを特徴とする。
【００１０】
本考案に係るつなぎ服は、上衣部の下端部から、上衣部の脇部分を経て、袖部と袖口部との縫合部にわたって、帯状のマチ部が形成され、このマチ部に取付孔が形成されたことを特徴とする。
【００１１】
本考案に係るつなぎ服は、上衣部に、着用者の後頸部に対応する部分から背中に対応する部分にわたって、冷却風排出整流部材が設けられたことを特徴とする。
【００１２】
本考案に係るつなぎ服は、取付孔に、風発生手段が取り付けられたことを特徴とする。
【考案の効果】
【００１３】
本考案に係るつなぎ服は、上衣部と下衣部とを有するつなぎ服であって、外側から空気を取り込む空気取込口、および内側に冷却風を送出する空気送出口を有する風発生手段が取り付けられる取付孔が、側面に形成されている。すなわち、取付孔が側面にあることで、本考案に係るつなぎ服の取付孔に風発生手段を取り付け、作業者がこれを着用して仰向けに横たわったとしても、風発生手段の空気取込口および空気送出口が塞がれることはなく、その冷却機能が妨げられることがない。また、作業者が仰向けに横たわった状態においても、風発生手段の上に作業者の身体が重なることもないため、違和感は生じず、作業者は安全に作業を行うことができる。
【００１４】
本考案に係るつなぎ服は、上衣部の脇部分よりも下側、かつ、ウエスト部よりも上側であって、着用者の脇下周辺に対応する部位に、取付孔が形成されている。すなわち、取付孔が着用者の脇下周辺に対応する部位に設けられていることで、本考案に係るつなぎ服の取付孔に風発生手段を取り付け、作業者がこれを着用した場合においても、歩行中又は作業中に、作業者の手が風発生手段に接触することを防ぐことができ、特に、工具等を持ち運ぶ際等に、風発生手段と工具等との接触を回避し、風発生手段や工具等の破損を防ぐことができる。
【００１５】
本考案に係るつなぎ服は、着丈方向に沿って左右に二等分する中心線を軸として、線対称の位置に、取付孔が形成されている。風発生手段によって送出された冷却風は、つなぎ服の内側において、作業者とつなぎ服との間を流れ、その後、作業者の首回りと襟部等との間の開口部、又は作業者の手首回りと袖口部との間の開口部から、排出される。このとき、作業者の身体を効率的に冷却するためには、冷却風が、つなぎ服の内側に滞留することなく、スムーズに開口部へ流れて排出されることが重要である。本考案に係るつなぎ服は、上記した構成により、つなぎ服の内側における冷却風の流れが左右対称になることで、冷却風が開口部へ向かう流れを整えることができる。したがって、冷却風の排出がスムーズになり、作業者の身体を効率的に冷却することができる。
【００１６】
本考案に係るつなぎ服は、上衣部の下端部から、上衣部の脇部分を経て、袖部と袖口部との縫合部にわたって、帯状のマチ部が形成され、このマチ部に、取付孔が形成されている。この構成により、本考案に係るつなぎ服の縫製工程を簡便にすることができる。
【００１７】
本考案に係るつなぎ服は、上衣部に、着用者の後頸部に対応する部分から背中に対応する部分にわたって、冷却風排出整流部材が設けられている。上記したように、作業者の身体を効率的に冷却するためには、冷却風が、つなぎ服の内側に滞留することなく、スムーズに開口部へ流れて排出されることが重要である。しかし、実際の作業現場では、作業者の首回りと襟部等との間の開口部において、作業者の汗等によって襟部等の生地が作業者の首回りに貼り付くことで、開口部が塞がれ、冷却風の排出が妨げられてしまうことがある。そこで、本考案に係るつなぎ服は、上記した部位に冷却風排出整流部材を設けることで、作業者の首回りにおける生地の貼り付きを防ぎ、開口部が塞がれることを防止することができる。したがって、冷却風が、つなぎ服の内側に滞留することなく、スムーズに開口部へ流れて排出され、作業者の身体を効率的に冷却することができる。
【００１８】
本考案に係るつなぎ服は、取付孔に、風発生手段が取り付けられている。したがって、作業者は、本考案に係るつなぎ服を冷却衣服として着用することができる。
【図面の簡単な説明】
【００１９】
【図１】本考案の実施形態に係るつなぎ服の正面図である。
【図２】本考案の実施形態に係るつなぎ服の背面図である。
【図３】本考案の実施形態に係るつなぎ服の左側面図である。
【考案を実施するための形態】
【００２０】
以下に、本考案の実施形態に係るつなぎ服１を、図１〜図３を参照して、説明する。
なお、図１に基づき、本実施形態に係るつなぎ服１の左右方向を身幅方向Ｘ、高さ方向を着丈方向Ｙとし、また、「左（左側）」および「右（右側）」、「正面（正面側）」および「背面（背面側）」は、着用者を基準とする。
【００２１】
本実施形態に係るつなぎ服１は、図１に示すように、作業者が着用するものである。
つなぎ服１は、上半身胴部を覆う生地片からなる上衣部２と、着用者の腰回りに帯状に設けられるウエスト部３と、下半身を覆う生地片からなる下衣部４とが、夫々縫合されることで、形成される。具体的には、着丈方向Ｙにおいて、上衣部２とウエスト部３とは、上衣部２の下端部の縁に沿って、ウエスト部３の長手方向と平行になる一端が縫合され、また、ウエスト部３と下衣部４とは、下衣部４の上端部の縁に沿って、ウエスト部３の上衣部２と縫合された一端と反対側の一端が、縫合される。
【００２２】
つなぎ服１には、図２および図３に示すように、その左右両外側の側面において、風発生手段５０が取り付けられる取付孔３０が、形成されている。具体的には、取付孔３０は、上衣部２の脇部分よりも下側、かつ、ウエスト部３よりも上側の、着用者の脇下周辺に対応する部位において、形成される。また、この取付孔３０は、上衣部２を着丈方向Ｙに沿って左右に二等分する中心線を軸として、線対称の位置に、形成される。
【００２３】
次に、本実施形態に係るつなぎ服１における上衣部２について詳説する。
上衣部２は、図１、図２および図３に示すように、前身頃上部２ａと前身頃本体２ｂとからなる前身頃と、後身頃上部２ｃと後身頃肩部２ｄと後身頃本体２ｅとからなる後身頃と、着用者の首回りに対応する部位に設けられる襟部８と、着用者の両腕を覆う生地片からなる袖部１０と、前身頃と後身頃との間、かつ、袖部１０において設けられるマチ部１２とが、夫々縫合されることで、形成される。
【００２４】
上衣部２の前身頃は、図１に示すように、左右で一対の略台形の生地片からなる前身頃上部２ａと、左右で一対の着丈方向Ｙに縦長の略長方形の生地片からなる前身頃本体２ｂとが、夫々縫合されることで、形成される。具体的には、前身頃上部２ａは、左右両外側に対応する部位を略台形の上辺とし、正面中央側に対応する部位を略台形の下辺とする一対の生地片であり、着丈方向Ｙにおいて、左側に対応する前身頃上部２ａの下端と、左側に対応する前身頃本体２ｂの上端とが、縫合され、同様に、右側に対応する前身頃上部２ａの下端と、右側に対応する前身頃本体２ｂの上端とが、縫合されることで、形成される。
【００２５】
また、上記の縫合された左右の前身頃上部２ａおよび前身頃本体２ｂとは、上衣部２を左右に二等分する中心線において、上衣部２を開閉自在とするファスナー１５を介して、縫合される。このファスナー１５は、上衣部２から、ウエスト部３を経て、下衣部４の股下周辺にわたって、設けられており、さらに、このファスナー１５を覆うようにして、着丈方向Ｙに縦長の略長方形の生地片が、ファスナー１５の雨蓋として設けられている。この雨蓋は、長手方向と平行になる左端のみが、上衣部２、ウエスト部３および下衣部４の夫々に縫合されており、長手方向と平行になる右端側が開閉自在になっている。
【００２６】
上衣部２の後身頃は、図２に示すように、着丈方向Ｙに縦長の略長方形の生地片からなる後身頃上部２ｃと、着用者の左右両肩に対応し、左右で一対の略台形の生地片からなる後身頃肩部２ｄと、着用者の背中に対応する生地片であり、上部よりも下部が略Ｔ字状に歪曲した後身頃本体２ｅとが、夫々縫合されることで、形成される。
【００２７】
具体的には、後身頃上部２ｃは、着用者の後頚部から背中中央上部までに対応する部位として設けられ、この生地片の下部の左右両端を、一対の後身頃肩部２ｄにおける略台形の底辺にあたる部位で挟み、後身頃上部２ｃの下部の左右両端と、この左右両端に接する後身頃肩部２ｄの部位とを縫合し、かつ、着丈方向Ｙにおいて、後身頃上部２ｃと後身頃肩部２ｄとの下端を、後身頃本体２ｅの上端に縫合することで、形成されている。なお、後身頃上部２ｃの上部は、着用者の後頸部において、後ろ襟として機能する。また、後身頃本体２ｅの背面中央寄りに絞り込まれた部分には、上衣部２の前身頃との間に、後述するマチ部１２が設けられる。
【００２８】
上衣部２の前身頃と後身頃とは、図３に示すように、着丈方向Ｙにおいて、それぞれの上端、すなわち、着用者の左右両肩に対応する部位において、縫合される。また、上衣部２の前身頃と後身頃とは、着用者の脇下に対応する部位から上衣部２の下端部までにおいて、後述するマチ部１２を介して、縫合される。
【００２９】
上衣部２には、図１および図２に示すように、着用者の肩に対応する部位から脇周辺に対応する部位にわたって、略Ｃ字状に筒型の生地片で着用者の両腕を覆う袖部１０の長手方向の一端が、縫合されている。具体的には、袖部１０において、略Ｃ字の開口部分にあたる部位を着丈方向Ｙの下方に向けた状態で、袖部１０の長手方向の一端を、上衣部２の前身頃本体２ｂから、前身頃上部２ａと後身頃肩部２ｄとを経て、後身頃本体２ｅに跨って、略Ｃ字状に、縫合する。なお、袖部１０における略Ｃ字の開口部分にあたる部位には、後述するマチ部１２が縫合される。
【００３０】
袖部１０には、上衣部２と縫合された袖部１０の一端と反対側の一端において、帯状の生地片を環状した袖口部１１が、縫合される。具体的には、袖部１０における袖口部１１と縫合される一端の縁に沿って、袖口部１１の帯状の長手方向と平行になる一端が、縫合される。なお、袖口部１１には、袖口の開口幅を調節可能なスナップボタンが設けられている。
【００３１】
上衣部２には、図２および図３に示すように、左右両外側の側面、すなわち前身頃と後身頃の間と、かつ、袖部１０における略Ｃ字の開口部分にあたる部位とにおいて、上衣部２の下端部から、上衣部２の脇部分を経て、袖部１０と袖口部１１とが縫合された縫合部にわたって、帯状の生地片からなるマチ部１２が、縫合されている。具体的には、マチ部１２は、その長手方向の一端を、上衣部２の下端部に合わせて、ウエスト部３に縫合し、ウエスト部３に縫合された一端と反対側の一端が、上衣部２の脇部分を経て、袖部１０と袖口部１１との縫合部に、縫合される。
【００３２】
また、マチ部１２は、ウエスト部３から上衣部２の脇部分までに対応する部位において、長手方向と平行になる一端が、上衣部２の前身頃における着用者の脇下周辺に対応する部位に縫合され、また、上衣部２の前身頃と縫合された一端と反対側の一端が、上衣部２の後身頃における着用者の脇下周辺に対応する部位、すなわち、略Ｔ字状に上部よりも下部が絞り込まれた部位において、縫合されている。
【００３３】
さらに、マチ部１２は、上衣部２の脇部分から袖部１０と袖口部１１との縫合部までに対応する部位においては、長手方向と平行になる両端が、袖部１０における略Ｃ字の開口部分にあたる部位の両端に、縫合されている。したがって、つなぎ服１における取付孔３０は、このマチ部１２の生地片に、形成されている。
【００３４】
取付孔３０は、上記したように、上衣部２におけるマチ部１２の生地片に、円形の孔を形成することで、設けられる。取付孔３０には、取付孔３０の円形の孔の縁に沿って、環状の補強材（図示せず）が縫合される。この補強材は、上衣部２の裏側に縫合されるため、図２においては、補強材の縫い目３１のみが図示されている。
【００３５】
上衣部２には、図１、図２および図３に示すように、上衣部２の前身頃と後身頃との間で、かつ、着用者の首回りに対応する部位において、正面側から背面側に向けて横長に、左右で一対の略長方形の生地片からなる襟部８が、縫合される。具体的には、着用者の後頸部に対応する後身頃上部２ｃの上部における左右両端を、一対の襟部８の長手方向の一端で挟み、後身頃上部２ｃの上部における左右両端と、この左右両端に接する襟部８の長手方向の一端とが、縫合される。また、着丈方向Ｙにおいて、襟部８の長手方向と平行になる一端が、上衣部２の前身頃の上端部であって、着用者の首回りに対応する部位に、縫合される。さらに、襟部８の後身頃上部２ｃと縫合された一端と反対側の一端には、ファスナー１５の上部の左右両端が縫合される。
【００３６】
上衣部２の後身頃上部２ｃの裏側には、図１に示すように、着用者の後頸部に対応する部位から背中に対応する部位にわたって、冷却風排出整流部材４０が設けられている。具体的には、着用者の後頚部に対応する部位から背中上部に対応する部位までに、上衣部２の後身頃の一部として設けられた後身頃上部２ｃの裏側に、着丈方向Ｙに縦長の略長方形のメッシュ状の生地片が縫合されることで、冷却風排出整流部材４０が形成される。このメッシュ状の生地片は、長手方向を着丈方向Ｙに沿わせて、長手方向と平行になる左右の両端が、後身頃上部２ｃの裏側に縫合されている。
【００３７】
上衣部２の前身頃上部２ａには、図１に示すように、着用者の左胸部に対応する部位において、ファスナーポケット部１４が設けられている。このファスナーポケット部１４は、前身頃上部２ａに身幅方向Ｘに沿ってスリットを設け、このスリットを開閉可能にするファスナーが縫合されることで、形成されている。ファスナーポケット部１４は、上衣部２の裏側において布袋（図示せず）が設けられており、この布袋の開口部分とスリットの開口部分とが縫合される。
【００３８】
上衣部２の前身頃本体２ｂには、着用者の左右両胸部に対応する部位において、一対の胸ポケット部５が設けられている。この胸ポケット部５は、略ホームベース型の生地片が、前身頃本体２ｂの着用者の左右両胸部に対応する部位に縫合されることで、形成されている。具体的には、略ホームベース型の生地片の、上辺を除いた残りの４辺にあたる部位が、前身頃本体２ｂに縫合されており、これにより、上辺にあたる部位が開口した収納部（図示せず）が形成されている。また、胸ポケット部５は、この開口した部分を覆う略ホームベース型の生地片からなる雨蓋を有している。この雨蓋は、略ホームベース型の上辺にあたる部位のみが、前身頃本体２ｂに縫合されることで、形成される。さらに、収納部を形成する生地片と雨蓋の生地片とは、互いに対向する位置において、嵌合するスナップボタン（図示せず）が設けられており、このスナップボタンを嵌めることで、雨蓋を閉じた状態で固定することができる。なお、図１においては、スナップボタンについて、雨蓋に設けられたスナップボタンの縫い目のみが図示されている。
【００３９】
次に、つなぎ服１のウエスト部３について詳説する。
ウエスト部３は、図１および図２に示すように、上衣部２と下衣部４との間であって、着用者の腰回りに対応する部位において、帯状の生地片が縫合されることで、形成される。このウエスト部３は、着用者の左右両腰骨（左右両腸骨稜）周辺に対応する部位において、ゴム紐等の弾性体を備えたギャザー加工が施されており、伸縮性を有している。また、ウエスト部３の正面側、かつ、ウエスト部３を左右に二等分する中心線においては、ウエスト部３を開閉自在とするファスナー１５が設けられている。このファスナー１５は、上衣部２から、ウエスト部３を経て、下衣部４の股下周辺にわたって縫合されている。また、このファスナー１５の上には、ファスナー１５を覆うようにして、雨蓋が設けられている。
【００４０】
さらに、ウエスト部３の正面側では、一対の帯状の生地片からなるサイズ調整機構（図示せず）が設けられている。具体的には、一対の帯状の生地片における夫々の長手方向の一端が、ウエスト部３の両腰骨前方に対応する部位に縫合されており、また、夫々のもう一方の長手方向の一端同士が、ウエスト部３の正面中央、かつ、ファスナー１５の雨蓋上の周辺において、互いに重なり合うように設けられている。この重なり合う部分の互いに接する面においては、帯状の面ファスナー（図示せず）が設けられており、この面ファスナーの噛み合わせ位置を調整することによって、着用者は腰回りのサイズを調整することができる。
【００４１】
次に、つなぎ服１の下衣部４について詳説する。
下衣部４は、図１、図２および図３に示すように、着用者の下半身正面を覆う生地片からなる下衣前身頃４ａと、着用者の腰部に設けられる下衣伸縮部４ｂと、着用者の下半身背面を覆う生地片からなる下衣後身頃４ｃとが、夫々縫合されることで、形成される。具体的には、着丈方向Ｙにおいて、下衣前身頃４ａの上端と、下衣伸縮部４ｂの上端とを高さを合わせて、下衣前身頃４ａの上部における左右両端と、下衣伸縮部４ｂの左右両端とが、縫合される。そして、この縫合された下衣前身頃４ａおよび下衣伸縮部４ｂにおいて、下衣前身頃４ａの上部を除く左右両端と、下衣後身頃４ｃの左右両端とが、縫合される。また、下衣伸縮部４ｂの下端と、下衣後身頃４ｃの上端とが、縫合される。さらに、下衣前身頃４ａを左右に二等分する中心線、かつ、下衣前身頃４ａの上端から着用者の股下周辺に対応する部位においては、この部位を開閉自在とするファスナー１５が設けられている。なお、このファスナー１５の上には、雨蓋が設けられている。
【００４２】
下衣部４の下衣前身頃４ａは、図１に示すように、上部左右両端において、上部が開口した腰ポケット部９が形成されている。腰ポケット部９は、下衣前身頃４ａの上部左右両端の角を、略四半円状に欠けるように形成し、この部分において、この部分を補う略四半円状の生地片と、下衣前身頃４ａの裏側に設けられる袋布（図示せず）とが、縫合されることで、形成される。具体的には、袋布の開口部のうちの半分が、下衣前身頃４ａの略四半円状に欠けた部分に縫合され、袋布の開口部のうちのもう半分が、略四半円状の生地片の弧状をなす部位に縫合される。したがって、下衣前身頃４ａと略四半円状の生地片とは、袋布の開口部を介して縫合されている。なお、略四半円状の生地片のうち、直線をなす部位は、夫々、ウエスト部３と下衣伸縮部４ｂ等と縫合される。
【００４３】
下衣部４の下衣伸縮部４ｂは、図２および図３に示すように、身幅方向Ｘに沿った複数のプリーツが形成されている。このプリーツは、着用者がつなぎ服１を着用し、起立した状態では閉じており、座姿勢又は前かがみ姿勢等になったときに、プリーツが開くように形成されている。これにより、つなぎ服１のスマートなデザインを維持しつつ、様々な姿勢による作業を無理なく円滑に行うことを可能している。
【００４４】
下衣部４の下衣後身頃４ｃは、着用者の臀部に対応する部位おいて、左右に一対の後ポケット部７が設けられている。この後ポケット部７は、略ホームベース型の生地片が、下衣後身頃４ｃの着用者の臀部に対応する部位に縫合されることで、形成される。具体的には、略ホームベース型の生地片の、上辺を除いた残りの４辺にあたる部位が、下衣後身頃４ｃに縫合されており、これにより、上辺にあたる部位が開口した収納部（図示せず）が形成されている。
【００４５】
下衣部４には、図３に示すように、着用者の太腿に対応する部位であって、下衣前身頃４ａと下衣後身頃４ｃとの縫い目の上、すなわち下衣部４における左右両外側の側面において、一対のサイドポケット部６が設けられている。このサイドポケット部６は、略ホームベース型の生地片が、上記した部位に縫合されることで形成されている。具体的には、略ホームベース型の生地片の、上辺を除いた残りの４辺にあたる部位が、下衣部４に縫合されており。これにより、上辺にあたる部位が開口した収納部（図示せず）が形成されている。また、サイドポケット部６は、この開口した部分を覆う略ホームベース型の生地片からなる雨蓋を有している。この雨蓋は、略ホームベース型の上辺にあたる部位のみが、下衣部４に縫合されることで、形成される。
【００４６】
つなぎ服１の取付孔３０には、図２および図３に示すように、風発生手段５０が取り付けられている。具体的には、取付孔３０における環状の補強材を、風発生手段５０の所定の部位に差し込み、風発生手段５０の固定部材（図示せず）で挟み込むことで、風発生手段５０は、取付孔３０に固定される。
【００４７】
つなぎ服１に取付けられた風発生手段５０は、つなぎ服１の外側から空気を取り込む空気取込口と、つなぎ服１の内側に冷却風を送出する空気送出口（図示せず）を有する風発生装置である。この風発生装置は、空気取込口を形成する外側ファンガードと、空気送出口を形成する内側ファンガード（図示せず）と、つなぎ服１の外側から空気を取込み、つなぎ服１の内側に冷却風を送出する軸流ファン（図示せず）と、軸流ファンを駆動させ、作業者の身体の側で軸流ファンを駆動し、支持するモータ（図示せず）等から構成される。なお、図２および図３においては、つなぎ服１の外側のみを図示しているため、風発生手段５０において、空気取込口を形成する外側ファンガードのみが図示されている。
【００４８】
次に、本実施形態に係るつなぎ服１の作用効果を説明する。
【００４９】
本実施形態に係るつなぎ服１は、上衣部２と下衣部４とを有し、外側から空気を取り込む空気取込口、および内側に冷却風を送出する空気送出口を有する風発生手段５０が取り付けられる取付孔３０が、上衣部２の側面に形成されている。取付孔３０が側面に形成されていることで、つなぎ服１を着用した作業者が仰向けに横たわったとしても、風発生手段５０の空気取込口および空気送出口が塞がれることはなく、その冷却機能が妨げられることがない。また、作業者が仰向けに横たわった状態においても、風発生手段５０の上に作業者の身体が重なることもないため、違和感は生じず、作業者は円滑に作業を行うことができる。
【００５０】
さらに、作業者がつなぎ服１を着用し、鞄等を背負った状態で移動する際や、背もたれのある椅子に座った状態で作業を行う際、例えば、作業車の運転を行う際等にも、違和感を生じさせない。したがって、仰向けに横たわった状態で作業を行うことがない作業者にとっても、上記した効果は極めて有益である。
【００５１】
本実施形態に係るつなぎ服１は、上衣部２の脇部分よりも下側、かつ、ウエスト部３よりも上側であって、着用者の脇下周辺に対応する部位に、取付孔３０が形成されている。すなわち、取付孔３０が着用者の脇下周辺に対応する部位に設けられていることで、作業者がつなぎ服１を着用した場合においても、歩行中又は作業中に、作業者の手が風発生手段５０に接触することを防ぐことができ、特に、工具等を持ち運ぶ際等に、風発生手段５０と工具等との接触を回避し、風発生手段５０や工具等の破損を防ぐことができる。
【００５２】
また、取付孔３０が上記した部位に設けられることで、風発生手段５０から送出される冷却風が、作業者の身体とつなぎ服１との間で、上半身と下半身の両方に流れやすく、作業者の身体全体を効率的に冷却することができる。
【００５３】
本実施形態に係るつなぎ服１は、着丈方向Ｙに沿って左右に二等分する中心線を軸として、線対称の位置に、取付孔３０が形成されている。風発生手段５０から送出された冷却風は、つなぎ服１の内側において、作業者の身体とつなぎ服１との間を流れ、その後、作業者の首回りと、襟部８および後身頃上部２ｃとの間の開口部、又は作業者の手首回りと袖口部１１との間の開口部から、排出される。このとき、作業者の身体を効率的に冷却するためには、冷却風が、つなぎ服１の内側に滞留することなく、スムーズに開口部へ流れて排出されることが重要である。つなぎ服１は、上記した構成により、冷却風の流れが左右対称になることで、冷却風が開口部へ向かう流れを整えることができる。したがって、冷却風の排出がスムーズになり、作業者の身体を効率的に冷却することができる。
【００５４】
本実施形態に係るつなぎ服１は、上衣部２の下端部から、上衣部２の脇部分を経て、袖部１０と袖口部１１との縫合部にわたって、帯状のマチ部１２が形成されており、このマチ部１２に、取付孔３０が形成されている。この構成により、つなぎ服１の縫製工程を簡便にすることができる。すなわち、つなぎ服１は、上衣部２における前身頃と後身頃との間や、それらの縫い目の上に、取付孔３０を形成する必要がなくなり、マチ部１２を構成する生地片に取付孔３０を形成してから、つなぎ服１全体の縫製を行うことができる。したがって、取付孔３０の形成、および、つなぎ服１の縫製工程を簡便にすることができる。
【００５５】
本実施形態に係るつなぎ服１の取付孔３０には、環状の補強材が設けられている。したがって、風発生手段５０を取付孔３０に取り付ける際に、取付孔３０周辺の生地の破けや裂けを回避することができる。また、補強材によって取付孔３０の周辺に一定の保形性が得られることで、風発生手段５０の取付けおよび固定を容易に行うことができる。
【００５６】
本実施形態に係るつなぎ服１は、上衣部２の裏側に、着用者の後頸部に対応する部分から背中に対応する部分にわたって、冷却風排出整流部材４０が設けられている。作業者の身体を効率的に冷却するためには、冷却風が、つなぎ服１の内側に滞留することなく、円滑に開口部へ流れて排出されることが重要である。しかし、実際の作業現場では、作業者の首回りと、襟部８および後身頃上部２ｃとの間の開口部において、作業者の汗等によって襟部８および後身頃上部２ｃの生地が作業者の首回りに貼り付くことで、開口部が塞がれ、冷却風の排出が妨げられてしまうことがある。そこで、つなぎ服１は、上記した冷却風排出整流部材４０を設けることで、作業者の首回りにおける生地の貼り付きを防ぎ、開口部が塞がれることを防止することができる。したがって、冷却風が、つなぎ服１の内側に滞留することなく、円滑に開口部へ流れて排出され、作業者の身体を効率的に冷却することができる。
【００５７】
また、本実施形態に係るつなぎ服１における冷却風排出整流部材４０は、メッシュ状の生地片からなるため、作業者の汗等によってその生地が作業者の首回りに貼り付くことが少なく、より開口部が塞がれることを防ぐことができる。さらに、冷却風排出整流部材４０は、上衣部２の裏側において、その左右両端のみが縫合されており、着丈方向Ｙの上部と下部とが開口している。そのため、上衣部２の生地と冷却風排出整流部材４０との間において、着丈方向Ｙの下方から上方に向かって冷却風が流れることで、つなぎ服１の外側に冷却風を排出させる排出口が形成される。これにより、冷却風の排出がより円滑になり、作業者の身体を効率的に冷却することができる。
【００５８】
以上、本考案の実施形態を詳述したが、本考案は上記実施形態に限定されるものではない。そして本考案は、実用新案登録請求の範囲に記載された事項を逸脱することがなければ、種々の設計変更を行うことが可能である。
【００５９】
例えば、本実施形態のつなぎ服１では、取付孔３０を二つ設けた例を示したが、取付孔３０の数は、一つ又は三つ以上であってもよい。また、本実施形態のつなぎ服１では、取付孔３０を上衣部２に設けた例を示したが、取付孔３０は、ウエスト部３又は下衣部４に設けられてもよい。また、本実施形態のつなぎ服１の冷却風排出整流部材４０は、メッシュ状の生地片からなるもの以外でも、排出口を形成できるものであれば、紐等の他の素材により構成されていてもよい。
【００６０】
さらに、本実施形態では、ウエスト部３のサイズ調整機構を正面中央に設けたが、他の位置、例えば、着用者の左右両腰骨周辺に対応する部位、すなわち、ウエスト部３の左右両外側の側面等に設けてもよい。また、サイズ調整機構の数についても、一つ又は二つ以上の複数であってもよい。また、つなぎ服１の袖丈は、半袖又は七分袖等であってもよく、同様に、下衣部４の裾丈についても、五分丈又は七分丈等であってもよい。
【符号の説明】
【００６１】
１    つなぎ服
２    上衣部
２ａ  前身頃上部
２ｂ  前身頃本体
２ｃ  後身頃上部
２ｄ  後身頃肩部
２ｅ  後身頃本体
３    ウエスト部
４    下衣部
４ａ  下衣前身頃
４ｂ  下衣伸縮部
４ｃ  下衣後身頃
５    胸ポケット部
６    サイドポケット部
７    後ポケット部
８    襟部
９    腰ポケット部
１０  袖部
１１  袖口部
１２  マチ部
１３  腕ポケット部
１４  ファスナーポケット部
１５  ファスナー
３０  取付孔
３１  補強材
４０  冷却風排出整流部材
５０  風発生手段
Ｘ    身幅方向
Ｙ    着丈方向
【図１】
0003225076.tif 000003
【図２】
0003225076.tif 000004
【図３】
0003225076.tif 000005